(57)【要約】      （修正有）【課題】地中梁施工用の鉄筋ユニットを使用して基礎施工後の工事まで簡略化することができる地中梁用配筋構造を提供する。【解決手段】鉄筋で縦筋１Ａと横筋１Ｂとを設ける。この鉄筋を溶接して格子状の鉄筋ユニットを形成する。この鉄筋ユニットを組み合せて地中梁１０用の配筋構造とする。鉄筋ユニットにて建物の壁２０側に設置される外部配筋体Ｐ１を構成する。鉄筋ユニットにて建物の内部に設置される内部配筋体を構成する。外部配筋体Ｐ１と内部配筋体との各縦筋１Ａを上方に延長する。地中梁１０上に構成する壁２０の壁用配筋２を縦筋１Ａで支持するように構成する。【選択図】図４
0003213023.tif 000002
【実用新案登録請求の範囲】
【請求項１】
縦筋と横筋とから成る鉄筋を予め相互溶接して格子状の鉄筋ユニットを形成し、該鉄筋ユニットを組み合せて地中梁を構成する地中梁用配筋において、前記鉄筋ユニットは、建物の壁側に設置される外部配筋体と、建物の内部に設置される内部配筋体とで構成され、これら外部配筋体と内部配筋体との各縦筋を上方に延長して地中梁上に構成する壁用又は床用の配筋を支持するように構成したことを特徴とする地中梁用配筋構造。
【請求項２】
前記外部配筋体において、前記縦筋を上方に延長すると共に、該縦筋を躯体の外側に向けて屈曲して壁を構成する壁用縦配筋を設け、該壁用縦配筋に壁用配筋を連結支持するように構成した請求項１記載の地中梁用配筋構造。
【請求項３】
前記壁用縦配筋は、前記縦筋から連続形成され、前記縦筋を壁側に向けて斜めに屈曲した第１屈曲部と、斜めに屈曲された前記縦筋の上端部から前記縦筋を垂直に向けて屈曲した第２屈曲部にて形成された請求項２記載の地中梁用配筋構造。
【請求項４】
前記内部配筋体において、上方に延長された前記縦筋と、該縦筋の上部に固定された横筋とでスラブ筋を支持するスラブ筋受材を構成する請求項１記載の地中梁用配筋構造。
【考案の詳細な説明】
【技術分野】
【０００１】
本考案は、鉄筋を予め相互溶接して格子状に形成した鉄筋ユニットを使用する地中梁用配筋構造に関するものである。
【背景技術】
【０００２】
地中梁を構成する配筋構造が特許文献１の地中梁用鉄筋組に記載されている。この配筋構造は、並列配置した矩形フープ筋と、該矩形フープ筋を連結する長尺主筋とで柱状籠筋体を形成したものである。そして、柱状籠筋体の下方に脚鉄筋を設け、柱状籠鉄筋体の端部に連結主筋を設けることで、地中梁の構築作業を効率化するというものである。
【０００３】
この配筋構造は、柱状籠筋体を連続して配置し、連続する柱状籠筋体に連結主筋を溶接等で互いに一体に連結する構造を成している。そのため、これらの溶接作業は鉄筋工が現場作業により行なっていた。しかし、基礎鉄筋工事の省力化、人手不足、人件費の高騰などから、現場作業の溶接作業を不要とする特許文献２のような鉄筋ユニットを使用した配筋構造が用いられている。
【０００４】
すなわち、特許文献２は、鉄筋を予め格子状に相互溶接して格子状に形成した鉄筋ユニットを使用した基礎の配筋構造が記載されている。この鉄筋ユニットは、工場にて生産され、折り畳んだ状態で現場に搬入し、現場において指定の場所に設置することにより短期間で基礎鉄筋工事を行なうことができるというものである。
【先行技術文献】
【特許文献】
【０００５】
【特許文献１】特許第２７３７０９９号公報
【特許文献２】特許第２９６８７１５号公報
【考案の概要】
【考案が解決しようとする課題】
【０００６】
ところが、特許文献２に記載の配筋構造は、特に、べた基礎および布基礎が一体となった住宅用基礎の外周部布基礎配筋構造を構成するもので、外周部立ち上がり組立鉄筋ユニットと、外周部ベース筋ユニットとによって構成している。
【０００７】
そのため、この鉄筋ユニットは住宅用の基礎を構築する配筋として限定されており、基礎が構成された後の他の構造物の配筋については、工事の省力化は図られていなかった。
【０００８】
すなわち、基礎となる地中梁が完成した後は、建物の壁や床を構成する配筋が施工される。ところが、鉄筋ユニットを使用することで基礎の配筋工事を合理化できるとしても、建物の壁や床を構成する配筋工事は旧態依然としたもので、壁用の配筋や床用の配筋をそれぞれ現場で溶接する作業になっており、これらの溶接工事まで合理化することはできない構成であった。
【０００９】
そこで本考案は、上述の課題を解消すべく案出されたもので、地中梁施工用の鉄筋ユニットを使用して基礎施工後の溶接工事まで簡略化することができる地中梁用配筋構造の提供を目的とするものである。
【課題を解決するための手段】
【００１０】
上述の目的を達成すべく本考案における第１の手段は、縦筋１Ａと横筋１Ｂとから成る鉄筋１を予め相互溶接して格子状の鉄筋ユニットＰを形成し、該鉄筋ユニットＰを組み合せて地中梁を構成する地中梁用配筋において、鉄筋ユニットＰは、建物の壁側に設置される外部配筋体Ｐ１と、建物の内部に設置される内部配筋体Ｐ２とで構成され、これら外部配筋体Ｐ１と内部配筋体Ｐ２との各縦筋１Ａを上方に延長して地中梁１０上に構成する壁２０用又は床３０用の配筋を支持するように構成したことにある。
【００１１】
第２の手段は、前記外部配筋体Ｐ１において、前記縦筋１Ａを上方に延長すると共に、該縦筋１Ａを躯体の外側に向けて屈曲して壁を構成する壁用縦配筋２Ａを設け、該壁用縦配筋２Ａに壁用配筋２を連結支持するように構成している。
【００１２】
第３の手段の前記壁用縦配筋２Ａは、前記縦筋１Ａから連続形成され、前記縦筋１Ａを壁側に向けて斜めに屈曲した第１屈曲部１Ａａと、斜めに屈曲された縦筋１Ａの上端部から該縦筋１Ａを垂直に向けて屈曲した第２屈曲部１Ａｂにて形成されたものである。
【００１３】
第４の手段は、前記内部配筋体Ｐ２において、上方に延長された前記縦筋１Ａと、該縦筋１Ａの上部に固定された横筋１Ｂとでスラブ筋４を支持するスラブ筋受材３を構成したものである。
【考案の効果】
【００１４】
請求項１のごとく、鉄筋ユニットＰを、建物の壁側に設置される外部配筋体Ｐ１と、建物の内部に設置される内部配筋体Ｐ２とで構成し、これら外部配筋体Ｐ１と内部配筋体Ｐ２との各縦筋１Ａを延長して地中梁１０上に構成する壁２０用又は床３０用の配筋を支持するように構成したことにより、鉄筋ユニットＰを利用して地中梁施工後の溶接工事を簡略化することが可能になったものである。
【００１５】
請求項２のように、外部配筋体Ｐ１において、前記縦筋１Ａを上方に延長すると共に、躯体の外側に向けて屈曲し、壁を構成する壁用縦配筋２Ａを設け、該壁用縦配筋２Ａに壁用配筋２を連結支持するように構成したことで、地中梁用の鉄筋ユニットＰを利用して、地中梁上に構成する壁の配筋の一部まで構成することが可能になった。この結果、これまで、地中梁を設置後、後付けで地中梁配筋と壁配筋とを連結するために生じていた溶接作業が極めて合理化され、地中梁１０施工後の壁２０を構成する配筋工事まで簡略化することが可能になった。
【００１６】
請求項３のごとく、壁用縦配筋２Ａは、前記縦筋１Ａの上部を壁側に向けて斜めに屈曲した第１屈曲部１Ａａと、斜めに屈曲された縦筋１Ａの上端部を垂直に向けて屈曲した第２屈曲部１Ａｂとで連続形成されているので、壁２０のコンクリートの被り厚さの中に配筋することができる。
【００１７】
請求項４のように、内部配筋体Ｐ２において、上方に延長された縦筋１Ａと、該縦筋１Ａの上部に固定された横筋１Ｂとでスラブ筋４を支持するスラブ筋受材３を構成することにより、地中梁用の鉄筋ユニットＰを利用して、地中梁１０上に構成する床３０のスラブ筋４を支持することが可能になった。この結果、これまで、地中梁１０を設置後、地中梁１０上にスペーサーを設置し、このスペーサー上にスラブ筋４を設置するといった作業やスペーサーの部材が不要になり、施工時間を大幅に短縮することが可能になった。
【００１８】
このように本考案によると、地中梁施工用の鉄筋ユニットを使用して基礎施工後の工事を簡略化することができるなどといった当初の目的を達成することができる。
【図面の簡単な説明】
【００１９】
【図１】本考案の一実施例を示す使用斜視図である。
【図２】本考案の外部配筋体を示す斜視図である。
【図３】本考案の内部配筋体を示し、（イ）は連結前の斜視図、（ロ）は連結状態を示す斜視図である。
【図４】本考案の外部配筋体の配筋状態を示す側断面図である。
【図５】本考案の内部配筋体の配筋状態を示す側断面図である。
【考案を実施するための形態】
【００２０】
以下、本考案の実施例を説明する。本考案は、鉄筋１を予め格子状に相互溶接して格子状に形成した鉄筋ユニットＰを組み合せて構成する地中梁用の配筋構造である。すなわち、縦筋１Ａと横筋１Ｂとを組み合わせて溶着し、梯子状の鉄筋ユニットＰを形成し、この鉄筋ユニットＰを組み合わせて地中梁の配筋施工を行うものである（図１参照）。
【００２１】
この鉄筋ユニットＰは予め工場にて生産されるもので、現場に搬入して指定の場所に設置される。したがって、現場において鉄筋工が鉄筋を切断し、あるいは溶接しながら地中梁用の配筋を行なう場合に比べて、極めて合理的な配筋工事が可能になる。
【００２２】
本考案の鉄筋ユニットＰは、外部配筋体Ｐ１と内部配筋体Ｐ２とを備えている（図１参照）。いずれも縦筋１Ａと横筋１Ｂとを組み合わせて梯子状に形成している（図２、図３（イ）参照）。更に、これら複数の外部配筋体Ｐ１や内部配筋体Ｐ２を組み合わせるには、棒状鉄筋１Ｃを介して針金で結束する（図３（ロ）参照）。
【００２３】
外部配筋体Ｐ１は、建物の壁側に設置される部位の鉄筋ユニットＰである。一方、内部配筋体Ｐ２は、建物の内部に設置される部位の鉄筋ユニットＰである。
【００２４】
本考案では、これら外部配筋体Ｐ１と内部配筋体Ｐ２との各縦筋１Ａを上方に延長して地中梁上に構成する壁又は床の配筋を支持するように構成している。
【００２５】
すなわち、外部配筋体Ｐ１の縦筋１Ａを上方に延長すると共に、躯体の外側に向けて屈曲して壁を構成する壁用縦配筋２Ａを設けている（図２参照）。そして、この壁用縦配筋２Ａに壁用配筋２の壁用横配筋２Ｂや、上方に延長する他の壁用縦配筋２Ａを連結して、壁２０を構成する壁用配筋２を支持するように構成している（図４参照）。したがって、この外部配筋体Ｐ１は、地中梁１０と壁２０とを構成する配筋構造になっている。
【００２６】
図示の壁用縦配筋２Ａは、縦筋１Ａの上部を壁側に向けて斜めに屈曲した第１屈曲部１Ａａと、斜めに屈曲された縦筋１Ａの上端部を垂直に向けて屈曲した第２屈曲部１Ａｂとを介して形成されたものである（図４参照）。
【００２７】
一方、建物の内部に設置される内部配筋体Ｐ２は、床を構成するスラブ筋４を支持する部位として使用する。すなわち、内部配筋体Ｐ２の縦筋１Ａを上方に延長し、この縦筋１Ａの上部に横筋１Ｂを固定してスラブ筋受材３を構成する（図３（イ）参照）。このスラブ筋受材３で基礎施工後の床を構成するスラブ筋４を支持するものである（図５参照）。この結果、内部配筋体Ｐ２は、地中梁１０を構成すると共に、床３０を構成するスラブ筋４の配筋を簡易にする補助筋として使用することができる。
【００２８】
従来では、床を構成するスラブ筋４を配筋する際に、梁配筋とスラブ筋４との間に隙間があるのでスペーサーの設置が必要になっていた。そこで、このスラブ筋受材３を構成しておくことで、このスペーサーを設置する手間やスペーサー自体が不要になる。
【００２９】
このように、本考案では、外部配筋体Ｐ１と内部配筋体Ｐ２とを利用して、地中梁１０上に構成する壁２０や床３０の配筋を支持するように構成しているので、地中梁１０施工後の工事を極めて簡略化することができるものである。
【００３０】
尚、本考案における各構成は図示例に限定されるものではなく、本考案の要旨を変更しない範囲での設計変更は自由に行える。
【符号の説明】
【００３１】
Ｐ  鉄筋ユニット
Ｐ１  外部配筋体
Ｐ２  内部配筋体
１  鉄筋
１Ａ  縦筋
１Ａａ  第１屈曲部
１Ａｂ  第２屈曲部
１Ｂ  横筋
１Ｃ  棒状鉄筋
２  壁用配筋
２Ａ  壁用縦配筋
２Ｂ  壁用横配筋
３  スラブ筋受材
４  スラブ筋
１０  地中梁
２０  壁
３０  床
【図１】
0003213023.tif 000003
【図２】
0003213023.tif 000004
【図３】
0003213023.tif 000005
【図４】
0003213023.tif 000006
【図５】
0003213023.tif 000007